(57)【特許請求の範囲】
【請求項１】
電源スイッチを所定時間以上継続して被操作状態にすると、前記所定時間の経過後に電源オン状態を継続するカメラであって、
所定のプログラムを記憶する記憶手段と、
前記記憶手段から前記プログラムを読み出して実行する主制御手段と、
撮像素子から得られた撮像信号をスルー画として表示する表示手段と、
前記電源スイッチが前記被操作状態になったことに応じて、前記主制御手段に、前記プログラムの読み出しを含み前記所定時間より長い処理時間を要する起動処理の開始を指示し、前記電源スイッチが前記被操作状態になってから前記所定時間が経過した時点で前記電源スイッチが継続して前記被操作状態であるか否かを判定し、継続して前記被操作状態であった場合には前記電源スイッチが前記被操作状態になってから前記所定時間の経過後に前記カメラの電源オン状態を継続し、継続して前記被操作状態でなかった場合には前記主制御手段に前記起動処理の中断を指示する起動制御手段と、を備え、
前記表示手段は、少なくとも前記電源オン状態を継続しているときスルー画の表示を行い、少なくとも前記電源スイッチが前記被操作状態になってから前記所定時間が経過するまでは前記表示を行わないことを特徴とするカメラ。
【発明の詳細な説明】
【技術分野】
【０００１】
本発明は、電源スイッチを操作することにより起動する電子機器に関する。
【背景技術】
【０００２】
レンズバリアが開いたときにオンとなるスイッチを備えるデジタルカメラが知られている（特許文献１）。このデジタルカメラでは、レンズバリアが開くことで１つ目のスイッチがオンとなり、カメラ起動の準備が行われる。そして、レンズバリアが開き切ったときにもう１つのスイッチがオンとなり、カメラが完全に起動する。
【０００３】
【特許文献１】特開２００４−２５３８９７号公報
【発明の開示】
【発明が解決しようとする課題】
【０００４】
上述した従来のデジタルカメラでは、複数のスイッチが順次オンされていくことを条件として撮影の準備を段階的に行っているので、ＣＰＵの初期化に必要な時間をより短縮して、機器の起動速度を向上させることができない。
【課題を解決するための手段】
【０００５】
請求項１に係る発明は、電源スイッチを所定時間以上継続して被操作状態にすると、前記所定時間の経過後に電源オン状態を継続するカメラであって、所定のプログラムを記憶する記憶手段と、前記記憶手段から前記プログラムを読み出して実行する主制御手段と、撮像素子から得られた撮像信号をスルー画として表示する表示手段と、前記電源スイッチが前記被操作状態になったことに応じて、前記主制御手段に、前記プログラムの読み出しを含み前記所定時間より長い処理時間を要する起動処理の開始を指示し、前記電源スイッチが前記被操作状態になってから前記所定時間が経過した時点で前記電源スイッチが継続して前記被操作状態であるか否かを判定し、継続して前記被操作状態であった場合には前記電源スイッチが前記被操作状態になってから前記所定時間の経過後に前記カメラの電源オン状態を継続し、継続して前記被操作状態でなかった場合には前記主制御手段に前記起動処理の中断を指示する起動制御手段と、を備え、前記表示手段は、少なくとも前記電源オン状態を継続しているときスルー画の表示を行い、少なくとも前記電源スイッチが前記被操作状態になってから前記所定時間が経過するまでは前記表示を行わないことを特徴とする。
【発明の効果】
【０００６】
本発明によれば、電子機器の起動が確定する前からＣＰＵの起動制御を開始することができる。これにより、電子機器の起動速度が向上する。
【発明を実施するための最良の形態】
【０００７】
――第１の実施の形態――
図面を用いて、本発明の一実施の形態によるデジタルカメラについて説明する。図１は、本実施の形態によるデジタルカメラの全体構成を示すブロック図である。デジタルカメラ１は、レンズ２、撮像素子３、アナログ・フロント・エンド／タイミング・ジェネレータ（ＡＦＥ／ＴＧ）回路４、ＣＰＵ５、フラッシュメモリ６、ＤＲＡＭ７、記録媒体８、表示部９、レリーズスイッチ１０、電源スイッチ１１、起動管理ブロック１２、およびＣＰＵ用電源回路１３を備える。
【０００８】
撮像素子３は、画素に対応する複数の光電変換素子を備えたＣＣＤやＣＭＯＳイメージセンサによって構成される。撮像素子６は、撮像面上に結像されている被写体像を撮像し、被写体像の明るさに応じた光電変換信号を出力する。撮像素子３の撮像面には、それぞれＲ（赤）、Ｇ（緑）およびＢ（青）のカラーフィルタが画素位置に対応するように設けられている。撮像素子３がカラーフィルタを通して被写体像を撮像するため、各撮像素子から出力される撮像信号は、それぞれＲＧＢ表色系の色情報を有する。
【０００９】
ＡＦＥ／ＴＧ回路４は、撮像素子３に電荷を蓄積させ、蓄積電荷をはき出させるための駆動信号を生成し、撮像素子３へ供給する。そして、撮像素子３から出力される光電変換信号（蓄積電荷）に対するアナログ処理（ゲインコントロールなど）を行った上で、撮像信号をデジタル信号に変換し、ＣＰＵ５へ送信する。レリーズスイッチ１０を押下すると、ＣＰＵ５で動作する所定の制御プログラムによって、撮像信号が撮影画像として記録媒体８へ記録される。
【００１０】
フラッシュメモリ６は、ＣＰＵ５に実行させる各種の制御プログラムが記録された不揮発性メモリである。ＣＰＵ５は、起動して所定の初期化処理を終えると、フラッシュメモリ６から制御プログラムを読み出し、ＤＲＡＭ７上にプログラムを展開する。その後、ＣＰＵ５は、ＤＲＡＭ７上に展開された制御プログラムの実行を開始する。
【００１１】
表示部９は、撮像素子３から得られた撮像信号をスルー画として表示する、液晶モニタなどの表示装置である。表示部９には他にも、デジタルカメラの各種設定メニュー画面などが表示される。起動管理ブロック１２は、ＣＰＵ５およびＣＰＵ用電源回路１３へ各種指示を送信することで、ＣＰＵ５の起動制御を行う。ＣＰＵ用電源回路１３は、起動管理ブロック１２によって制御され、ＣＰＵ５への電源供給を行う。
【００１２】
次に、デジタルカメラ１の電源オン操作を、図を用いて説明する。デジタルカメラ１の電源オンを行う際は、ユーザの誤操作や静電気等による誤検出を防ぐため、電源スイッチ１１の押下を所定の時間（例えば、１００ミリ秒）よりも長い間継続する必要がある。以下の説明では、上記の電源スイッチ１１への操作を長押しと呼ぶ。
【００１３】
起動管理ブロック１２は、電源スイッチ１１の長押し操作を検出するために、電源スイッチ１１の押下の確認を２回行う。図２（ａ）は、デジタルカメラ１の電源スイッチ１１へ長押し操作が行われた場合を示す図である。「電源スイッチ」は電源スイッチ１１の押下の有無を、「ＣＰＵ用電源」はＣＰＵ用電源回路１３からＣＰＵ５への電源供給の有無を、「起動許可信号」は起動管理ブロック１２からＣＰＵ５へ伝送される起動許可信号のオン／オフを、「プログラムの読み出し」はＣＰＵ５がフラッシュメモリ６から制御プログラムを読み出している最中か否かを、それぞれ表している。
【００１４】
電源スイッチ１１の押下が検知されると（Ｔ２１）、起動管理ブロック１２はまずＣＰＵ用電源回路１３を制御し、ＣＰＵ用電源をオンに設定する。これにより、ＣＰＵ５への電源供給が開始される。続いて、起動管理ブロック１２は、ＣＰＵ５への起動許可信号をオンに設定する。これによって、ＣＰＵ５が起動し、ＣＰＵ５による所定の初期化処理ならびにプログラムの読み出しが実行される。なお、この時点では、デジタルカメラ１の外観は、電源スイッチ１１の押下前と何ら変わらない。例えば、表示部９には何も表示されず、ＬＥＤ等のインジケータが点灯することもない。
【００１５】
長押しと判定する所定の時間（Ｐ２２）が経過すると、起動管理ブロック１２は電源スイッチ１１の押下を再び確認する（Ｔ２３）。図２（ａ）では、Ｔ２３の時点で電源スイッチ１１がオンとなっているので、起動管理ブロック１２は電源スイッチ１１の長押しが行われていたものと判定し、起動制御を継続する。デジタルカメラ１の外観に変化をもたらす処理は、Ｔ２３以降に実行される。
【００１６】
他方、電源スイッチ１１が押下されたものの長押し操作が行われなかった場合について説明する。図２（ｂ）は、デジタルカメラ１の電源スイッチ１１へ長押し操作が行われなかった場合を示す図である。電源スイッチ１１の押下が検知され（Ｔ２１）、長押しと判定される所定の時間（Ｐ２２）が経過する前に電源スイッチ１１がオフとなった場合を示している。
【００１７】
図２（ｂ）では、所定の時間（Ｐ２２）が経過した時点（Ｔ２３）で、電源スイッチ１１がオフとなっている。これにより、起動管理ブロック１２は、デジタルカメラ１１の電源オンが指示されていないと判定する。この場合、起動管理ブロック１２は、デジタルカメラ１の状態を、電源スイッチ１１を押下する前の状態へ戻す。具体的には、まずＣＰＵ５へ起動中断指示を伝送する。これによって、ＣＰＵ５は制御プログラムの読み出しを中止する。次に、ＣＰＵ５への起動許可信号の伝送をオフにする。最後に、ＣＰＵ用電源回路１３を制御して、ＣＰＵ５への電源供給を停止させる。図２（ｂ）で示す処理全体を通して、デジタルカメラ１の外観は、電源スイッチ１１を押下する前から何ら変化しない。
【００１８】
次に、起動管理ブロック１２が行う起動制御処理の詳細を、図を用いて説明する。図３は、起動管理ブロック１２が行う起動制御処理手順を示すフローチャートである。ステップＳ１以前において、デジタルカメラ１は電源オフ状態である。まずステップＳ１で、電源スイッチ１１が押下されているか否かを判定する。電源スイッチ１１が押下されていない場合、ステップＳ１により否定判定がなされ、ステップＳ１を繰り返し実行する。他方、ステップＳ１において肯定判定がなされた場合は、ステップＳ２へ進む。
【００１９】
ステップＳ２では、長押しと判定する所定の時間（１００ミリ秒）を設定したタイマーを始動する。ステップＳ３では、ＣＰＵ用電源回路１３を制御し、ＣＰＵ用電源をオンにする。これによって、ＣＰＵ５への電源供給が開始される。ステップＳ４では、ＣＰＵ５への起動許可信号の伝送をオンに設定する。これによって、ＣＰＵ５が起動し、所定の初期化処理ならびにフラッシュメモリ６からの制御プログラムの読み出し処理が開始される。
【００２０】
ステップＳ５では、ステップＳ２で始動したタイマーが所定の時間を経過したか否かを判定する。所定の時間が経過していない場合、ステップＳ５により否定判定がなされ、ステップＳ５を繰り返し実行する。他方、ステップＳ５において肯定判定がなされた場合は、ステップＳ６へ進む。
【００２１】
ステップＳ６では、電源スイッチ１１が押下されているか否かを判定する。電源スイッチ１１が押下されていた場合、ステップＳ６により肯定判定がなされ、ステップＳ７へ進む。ステップＳ７では、電源スイッチ１１への長押し操作が行われたものと考え、起動管理ブロック１２による起動制御を継続する。他方、ステップＳ６において否定判定がなされた場合は、ステップＳ８へ進む。ステップＳ８では、起動管理ブロック１２によって前述の通り起動制御の中断処理が実行され、デジタルカメラ１の状態は電源オフ状態に復帰する。
【００２２】
上述した第１の実施の形態によるデジタルカメラによれば、次の作用効果が得られる。
（１）ＣＰＵの起動を、電源スイッチが最初に押されたときから開始する。これにより、電源スイッチの長押し操作中にプログラムの読み出しが進行するので、デジタルカメラの起動速度が向上する。従来の動作を示す図２（ｃ）と、図２（ａ）を比較すると、起動許可信号の送信ならびにプログラムの読み出し開始がより早い段階で実行されていることが明らかである。
（２）電源スイッチの押下を２回確認し、２回目で押下されていなかった場合はＣＰＵの起動を中断する。これにより、電源スイッチの誤操作や押下の誤検出を防止することができる。
（３）長押し操作が行われるまで、デジタルカメラの外観は一切変化しない。これにより、通常のデジタルカメラと同様の操作感を得ることができる。
【００２３】
――第２の実施の形態――
上述した第１の実施の形態では、本発明の一実施の形態によるデジタルカメラについて説明した。本発明はデジタルカメラ以外の、ボタンの長押し操作によって起動する電子機器について適用することができる。以下では、第２の実施の形態による携帯通信端末について説明する。
【００２４】
図４は、本実施の携帯による携帯通信端末の全体構成を示すブロック図である。携帯通信端末５１は、ＣＰＵ５５、フラッシュメモリ５６、ＤＲＡＭ５７、記録媒体５８、表示部５９、キーパッド６０、電源スイッチ６１、起動管理ブロック６２、ＣＰＵ用電源回路６３、および通信部６４を備える。
【００２５】
キーパッド６０は、ＣＰＵ５５へ指示を与えるための入力装置である。通信部６４は、基地局と通信を行うための無線通信装置である。
【００２６】
携帯通信端末５１は、第１の実施の形態におけるデジタルカメラ１と同様に、電源スイッチ６１の押下によってＣＰＵ５５の起動処理が開始される。そして、所定時間経過後に電源スイッチ６１が押下されていない場合には、ＣＰＵ５５の起動処理は中断される。これにより、第１の実施の形態によるデジタルカメラと同様の作用効果が得られる。
【００２７】
次のような変形も本発明の範囲内である。
（１）起動管理ブロックは、ＣＰＵとは独立して存在するのではなく、ＣＰＵの内部に存在していてもよい。この場合、ＣＰＵ用電源回路によってＣＰＵへ電源が供給されていなくても、起動管理ブロックが電源スイッチを押下されたことを検出することができなくてはならない。
【００２８】
（２）電源スイッチの押下によって実行されるＣＰＵの処理は、プログラムの読み出し以外であってもよい。例えば、ＣＰＵの初期化処理であってもよい。
【００２９】
本発明の特徴を損なわない限り、本発明は上記実施の形態に限定されるものではなく、本発明の技術的思想の範囲内で考えられるその他の形態についても、本発明の範囲内に含まれる。
【００３０】
なお、以上説明した実施の形態における電子機器の各構成要素と特許請求の範囲の各構成要素との対応関係は以下の通りである。本発明の起動制御手段は起動管理ブロック１２に対応し、主制御手段はＣＰＵ５に対応する。
【００３１】
なお、以上の対応関係の説明は一例であり、権利解釈に際して何ら拘束されるものではない。
【図面の簡単な説明】
【００３２】
【図１】第１の実施の形態による、デジタルカメラの全体構成を示すブロック図である。
【図２】デジタルカメラ１の、電源スイッチ１１へ長押し操作が行われた場合（ａ）と、電源スイッチ１１へ長押し操作が行われなかった場合（ｂ）と、第１の実施の形態による効果を説明するための従来例（ｃ）とを示す図である。
【図３】起動管理ブロック１２が行う起動制御処理手順を示すフローチャートである。
【図４】第２の実施の形態による、携帯通信端末の全体構成を示すブロック図である。
【符号の説明】
【００３３】
１  デジタルカメラ
５  携帯通信端末
５，５５  ＣＰＵ
１１，６１  電源スイッチ
１２，６２  起動管理ブロック
１３，６３  ＣＰＵ用電源回路
【図１】
0005125546.tif 000002
【図２】
0005125546.tif 000003
【図３】
0005125546.tif 000004
【図４】
0005125546.tif 000005